【手続補正書】
【提出日】平成29年3月10日(2017.3.10)
【手続補正１】
【補正対象書類名】特許請求の範囲
【補正対象項目名】全文
【補正方法】変更
【補正の内容】
【特許請求の範囲】
【請求項１】
義歯であって、
可鍛性であり、約５４℃と約１００℃の間の温度に曝されたときに調整することができるアーチ形床部と、
前記アーチ形床部に結合された複数の歯と、
アクリル系熱可塑性物質及びろうのうちの少なくとも１つと、
別個のフランジ部と、
を備える、義歯。
【請求項２】
アーチ形器具であって、
５４℃よりも低い温度で硬質であり、約５４℃と約１００℃の間の温度で調整することができるアーチ形床部と、
前記アーチ形床部に結合された複数の歯と、
を備え、前記床部及び前記複数の歯のうちの少なくとも一方は、アクリル系熱可塑性物質から構成される、アーチ形器具。
【請求項３】
前記床部が、約５４℃と約１００℃の間で加熱され、患者の口腔の中に置かれたときに、患者の口の形状及び適合性に一致するように調整可能である、請求項２に記載のアーチ形器具。
【請求項４】
モノマーに対するポリマーの比が、ポリマーが約６３．５重量％、モノマーが約前３６．５重量％であるポリマーとモノマーを含むベースコンパウンドをさらに備える、請求項３に記載のアーチ形器具。
【請求項５】
前記床部が、可鍛性であり、少なくとも３分間、約５４℃と約１００℃の間の温度に曝されたときに調整することができる、請求項３に記載のアーチ形器具。
【請求項６】
前記床部が、患者の口腔の模型の対応する部分に結合されたよきに、前記床部は、前記模型の形状及び適合性に一致するようにさらに調整することができる、請求項２に記載のアーチ形器具。
【請求項７】
患者の歯茎に埋め込まれたインプラントに結合するように構成された汎用ピックアップチャンネルをさらに備える、請求項２に記載のアーチ形器具。
【請求項８】
前記汎用ピックアップチャンネルは、患者の歯茎ラインに沿って位置付けられている、請求項７に記載のアーチ形器具。
【請求項９】
患者の口腔に好適な少なくとも１つの義歯を提供するのに使用するキットであって、
上側アーチ形器具及び下側アーチ形器具の第１のペアと、
上側アーチ形器具及び下側アーチ形器具の少なくとも第２のペアと、
を備え、
前記アーチ形器具の第１のペア及び第２のペアの各々が、前記患者の口腔の対応する部分に嵌合するように構成され、前記第１のペアの上側アーチ形器具及び下側アーチ形器具のサイズが、前記少なくとも第２のペアの上側アーチ形器具及び下側アーチ形器具のサイズと異なり、前記アーチ形器具が予め定められた量の熱に曝されたときに、前記第１のペア及び前記少なくとも第２のペアの上側アーチ形器具及び下側アーチ形器具が調整可能である、キット。
【請求項１０】
前記キットの上側アーチ形器具及び下側アーチ形器具の各々が、
それぞれの床部と、
前記それぞれの床部上に配置されたそれぞれの複数の歯と、
を含む、請求項９に記載のキット。
【請求項１１】
部分アーチ形器具であって、
床部と、
前記床部に沿って位置付けられた複数の歯と、
を備え、
前記床部が、前記複数の歯のうちの少なくとも１つの歯に隣接して配置された少なくとも１つの溝部を有し、該少なくとも１つの溝部が、患者の口腔内の少なくとも１つの歯を受けるように構成され、前記床部は、可鍛性であり、約５４℃と約１００℃の間の温度で調整することができる、部分アーチ形器具。
【請求項１２】
アーチ形器具を作製する際に使用するインレー器具であって、
一方端からその他方端にわたって凹部を有し、該凹部が複数の歯のうちのそれぞれの歯を受けるように各々構成された複数の歯受容部を有する湾曲トレイと、
前記湾曲トレイに結合され、成型装置の少なくとも１つの耳部受容部に結合するように構成された少なくとも１つの耳部と、
を備える、インレー器具。
【請求項１３】
アーチ形器具を作製するための成型装置であって、
第１のアーチ形凹部及び第１の注入スロットを有する下側部分と、
第２のアーチ形凹部及び第２の注入スロットを有する上側部分と、
を備え、
前記下側部分と前記上側部分とが組み合わされたときに、前記第１の注入スロット及び前記第２の注入スロットが注入孔を形成し、前記第１の凹部が、インレー器具を受けるように構成され、前記第２の凹部が、前記注入孔を通って注入されるベースコンパウンドを受けるように構成されている、成型装置。
【請求項１４】
患者の口腔に結合するためのアーチ形器具を作製する方法であって、
複数の歯の各々をインレー器具のそれぞれの歯受容部に配置する段階と、
前記インレー器具を成型装置の下側部分の凹部に位置付ける段階と、
前記インレー器具を間に挟装して前記下側部分を前記成型装置の上側部分に結合する段階と、
前記成型装置の注入孔にベースコンパウンドを注入する段階と、
前記ベースコンパウンドを前記複数の歯と一体化するよう前記ベースコンパウンドを加工する段階と、
を含む方法。
【請求項１５】
アーチ形器具の床部を形成するよう機能するベースコンパウンドを作製する方法であって、
混合物が前記アーチ形器具の作製中に複数の歯に接合するのに好適な特性を示すように、予め定められた比率で複数の材料を共に混合する段階と、
前記混合物を加工して前記ベースコンパウンドを提供する段階と、
を含む、方法。
【請求項１６】
前記複数の材料が少なくともポリマー及びモノマーを含む、請求項１５に記載の方法。
【請求項１７】
前記予め定められた比率は、前記ポリマーが約６３．５重量％、前記モノマーが３６．５重量％である、請求項１６に記載の方法。
【請求項１８】
前記モノマーが、清澄液の形態で予め混合されたモノマーの可塑剤を含む、請求項１６に記載の方法。
【請求項１９】
前記混合段階が、前記複数の材料が実質的に均質な練り状混合物になるように、前記複数の材料を混合する段階を含む、請求項１６に記載の方法。
【請求項２０】
モールド用のインレー器具を形成するよう機能するインレーコンパウンドを作製する方法であって、
混合物がアーチ形器具の作製中に複数の歯を保持する特性を示すように、予め定められた比率で複数の材料を共に混合する段階と、
前記混合物を予め定められた温度で硬化させて前記インレーコンパウンドを提供する段階と、
を含む、方法。
【請求項２１】
前記混合段階が、活性剤をシリコーンと混合する段階を含む、請求項２０に記載の方法。
【請求項２２】
前記シリコーンが、Ｐ−６０及びＰ−７０のうちの少なくとも１つを含む、請求項２１に記載の方法。
【請求項２３】
前記シリコーンが少なくとも硬度６５を有する、請求項２１に記載の方法。
【請求項２４】
前記活性剤が触媒を含む、請求項２１に記載の方法。
【請求項２５】
前記予め定められた比率が、活性剤１に対しシリコーン１０である、請求項２１に記載の方法。
【請求項２６】
前記加工段階が、前記混合物を真空下に暴露する段階を含む、請求項２０に記載の方法。
【請求項２７】
前記暴露段階が、少なくとも水銀柱２９インチの真空下で脱気する段階を含む、請求項２６に記載の方法。
【請求項２８】
成型装置用のインレー器具を作製する方法であって、
前記成型装置の上側部分上にマスターアーチ形器具を配置する段階と、
前記マスターアーチ形器具を間に挟装して前記成型装置の上側部分を下側部分に結合し、前記下側部分と前記上側部分とが共に結合されたときに、前記上側部分の注入スロットと前記下側部分の注入スロットが前記成型装置の注入孔を形成するようになる段階と、
前記注入孔にインレーコンパウンドを注入する段階と、
前記注入された成形材料を加工して前記インレー器具を提供する段階と、
を含む、方法。
【請求項２９】
義歯型器具であって、
可鍛性であり、約５４℃と約１００℃の間の温度に曝されたときに調整することができるアーチ形舌側部を含み、前記舌側部は、アーチ形床部と、前記床部に結合された複数の歯と、アクリル系熱可塑性物質及びろうのうちの少なくとも１つと、を備え、
前記床部と一体化されたフランジ部をさらに含む、義歯型器具。
【請求項３０】
前記義歯型器具が熱に曝されたときに該義歯型器具を調整可能にする少なくとも１つの隆起部をさらに含む、請求項２９に記載の義歯型器具。